(57)【要約】【課題】特別な機構を必要とせずに、媒体にカール癖が付くことを防止することができる発券装置を提供する。【解決手段】ロール紙を収納するロール紙装填部と、ロール紙の搬送方向を変更するカーブ部と、ロール紙装填部からカーブ部までロール紙をストレートに搬送する第１の搬送部と、カーブ部から先にロール紙をストレートに搬送する第２の搬送部と、ロール紙の先端を検知する検知部と、発券処理が所定の時間行われない場合に、第２の搬送部まで搬送されたロール紙を巻き戻して、ロール紙の先端を第２の搬送部から第１の搬送部の位置にまで後退させる発券制御部と、を備える。【選択図】図４
2011104780.tif 000002
【特許請求の範囲】
【請求項１】
ロール紙に所定の情報を印字して発券処理を行う発券装置であって、
前記ロール紙を収納するロール紙装填部と、
前記ロール紙の搬送方向を変更するカーブ部と、
前記ロール紙装填部から前記カーブ部まで前記ロール紙をストレートに搬送する第１の搬送部と、
前記カーブ部から先に前記ロール紙をストレートに搬送する第２の搬送部と、
前記ロール紙の先端を検知する検知部と、
前記発券処理が所定の時間行われない場合に、前記第２の搬送部まで搬送された前記ロール紙を巻き戻して、前記ロール紙の先端を前記第２の搬送部から前記第１の搬送部の位置にまで後退させる発券制御部と、
を備えたことを特徴とする発券装置。
【請求項２】
前記発券制御部は、前記ロール紙の先端を、前記カーブ部よりも前記ロール紙装填部側の手前の位置にまで後退させる、
ことを特徴とする請求項１に記載の発券装置。
【請求項３】
前記発券装置は、ネットワークを介して情報処理装置に接続され、
前記発券制御部は、前記情報処理装置からの指示に基づいて、前記ロール紙を巻き戻す、
ことを特徴とする請求項１または２に記載の発券装置。
【請求項４】
前記発券制御部は、前記情報処理装置との間の前記ネットワークを介した接続が断たれた場合に、前記ロール紙を巻き戻す、
ことを特徴とする請求項３に記載の発券装置。
【請求項５】
前記発券装置は、
前記情報処理装置の電源がオフ状態となった場合に、前記情報処理装置から前記ネットワークを介して前記オフ状態であることを示す停止信号を受信する通信部と、
前記通信部が前記停止信号を受信した場合に、前記発券装置の電源をオフ状態にする電源制御部と、をさらに備え、
前記発券制御部は、前記電源制御部が前記発券装置の電源をオフ状態にする場合に、前記ロール紙を巻き戻す、
ことを特徴とする請求項３または４に記載の発券装置。
【発明の詳細な説明】
【技術分野】
【０００１】
本発明は、ロール紙を所定の長さにカットし、印刷、磁気書込み等を行い、乗車券等の媒体を発券する発券装置に関する。
【背景技術】
【０００２】
従来、発券装置が媒体を発行する方式には、主に、ロール紙を所定の長さで切断し、印字等の処理を行った後にこれを発行する方式と、予め券紙のサイズにカットされている媒体に印字等の処理を行って発行する方式の２種類に大別される。
【０００３】
鉄道旅客等の乗車券等の発券装置では、列車等の発車時刻に遅れることがないように迅速な業務処理や、装置が停止することなく業務を継続することが求められるため、媒体の補充回数を少なくできるロール紙を媒体とする方式の発券機を用いられている。
【０００４】
ここで、ロール紙を媒体とする発券装置では券紙を切断する工程が必要であり、発券指示が出される前にロール紙を所定の長さの切断位置まで送り出し、その状態で発券待機させることで、ロール紙を切断位置まで搬送する時間を省略し、全体の発券処理時間の短縮を図っているものが一般的である。また、ロール紙を媒体とする発券装置で印字等の処理を行った後に切断する方式のものもあるが、このような発券装置についても、事前に印字部まで搬送した状態で発券待機させることで処理時間の短縮を図っている。
【０００５】
近年、発券装置は小型多機能化を要求されており、機能の高密度実装のためロール紙を切断位置まで導く搬送路に径の小さいカーブを持たせるなどの省スペース化のための工夫が必要となる。また、ロール紙エンドによる業務停止の防止の為に、ロール紙を予め２巻装填して一方のロール紙を使い切った際には他方のロール紙に自動的に切替える方式の発券装置が提案されている。この２巻装填タイプの内、１つめのロール紙は共通搬送路の延長線上に配置し、２つめのロール紙をその横に並列に配置する発券装置の場合、螺旋状にループさせながら横方向へ幅寄せする搬送路を設置することで、２つめのロール紙から繰出された媒体を共通搬送路へ給紙している。
【０００６】
このように待機位置までの搬送路に径の小さいカーブやループを持つ発券装置に対して、ロール紙を所定量送り出して発券待機させる方式を適用した場合、ロール紙がカーブやループ部で丸められたまま保持されることになる為、発券指示が出されないまま待機し続けると媒体に強いカール癖が付くこととなる。媒体のカール癖は発券動作時の券詰まりを発生させるリスクを高める要因となり得るため、媒体の搬送条件よっては何らかの対処を施さない限り上述したリスクを回避できない。また、装置の仕様上、許されるカール量が規定されている場合もある。このような規定がない場合においてもカール癖の付いた券紙により、券紙を受け取ったユーザーに不快感を与えることも懸念される。
【０００７】
ロール紙のカール癖対策として、例えば、特許文献１には、ロール紙を待機状態から所定寸法送り出し、挟持位置を券の後方にずらす方式が提案されている。この場合、券の先端のカール癖を防ぐことができるため、券先端が搬送路の継ぎ目に引っかかるなどの券詰まりを防止することができる。また、別のカール癖対策として、ロール紙搬送路に券紙に付いたカール癖と逆方向の曲げを与えるカーブを設置し、積極的にカール癖を補正する方式がある。
【先行技術文献】
【特許文献】
【０００８】
【特許文献１】特開平５−３０９８９０号公報
【発明の概要】
【発明が解決しようとする課題】
【０００９】
ロール紙切断位置までの搬送路に、径の小さいカーブやループ状の搬送路を持つ発券機に対して、ロール紙を切断位置まで送り出した状態で待機させる方式を採用するためには、上述したように、長時間発券指示が出なかった場合のロール紙カール癖対策を施す必要がある。
【００１０】
上述した特許文献１のカール癖対策の場合、券詰まりの防止には効果的であるが、カール癖自体を解消することはできないため、券の中央から後方にかけてカール癖が付いた券がユーザーの手に渡ることとなる。また、カール癖と逆方向の曲げを与える切返し部を設置する方式は、カール癖自体を解消することができるが、搬送路に逆曲げ部を増設する必要があるため、筐体内の配置に制限がある小型の発券装置には適用が困難である。
【００１１】
本発明の目的は、特別な機構を必要とせずに、媒体にカール癖が付くことを防止することができる発券装置を提供することにある。
【課題を解決するための手段】
【００１２】
上述した目的を達成するために、本発明にかかる発券装置は、ロール紙に所定の情報を印字して発券処理を行う発券装置であって、前記ロール紙を収納するロール紙装填部と、前記ロール紙の搬送方向を変更するカーブ部と、前記ロール紙装填部から前記カーブ部まで前記ロール紙をストレートに搬送する第１の搬送部と、前記カーブ部から先に前記ロール紙をストレートに搬送する第２の搬送部と、前記ロール紙の先端を検知する検知部と、前記発券処理が所定の時間行われない場合に、前記第２の搬送部まで搬送された前記ロール紙を巻き戻して、前記ロール紙の先端を前記第２の搬送部から前記第１の搬送部の位置にまで後退させる発券制御部と、を備えたことを特徴とする。
【発明の効果】
【００１３】
本発明によれば、特別な機構を必要とせずに、媒体にカール癖が付くことを防止することができる発券装置を提供することができる。
【図面の簡単な説明】
【００１４】
【図１】本実施形態における発券装置の物理的な構成を示す図である。
【図２】図１に示した発券装置および上位端末の機能的な構成を示すブロック図である。
【図３】発券装置の利用者が業務を開始する際の起動処理の処理手順を示すフローチャートである。
【図４】ロール紙が発券待機位置で待機する様子を示す図である。
【図５】発券装置が行う発券処理の処理手順を示すフローチャートである。
【図６】営業時間中に発券業務が一定時間行われなかった場合の移行処理の処理手順を示すフローチャートである。
【図７】発券装置を省電力モードから復旧させ、発券業務を再開する場合の復旧処理の処理手順を示すフローチャートである。
【図８】１日の発券業務を終了し、装置の電源を落とす際の停止処理の処理手順を示すフローチャートである。
【発明を実施するための形態】
【００１５】
以下に添付図面を参照して、この発明にかかる発券装置の実施の形態を詳細に説明する。以下では、発券装置が駅窓口などに設置され、乗車券等を発券する場合について説明しているが、これに限られるものではない。
【００１６】
図１は、本実施形態における発券装置１の物理的な構成を示す図である。図１に示すように、発券装置１は、ロール紙２０を収納するロール紙収納部２と、ロール紙収納部２に収納されたロール紙２０からロール紙２０の先端を分離して繰出し搬送路に繰出すロール紙繰出し搬送部３と、分離して繰出されたロール紙２０をストレートに搬送する直線搬送部４と、ロール紙２０の巻戻しを行う際にロール紙２０の先端が直線搬送部４まで巻戻されたことを検知する為のセンサ２１と、ロール紙２０の搬送方向を変更するカーブ部５と、カッタ２３でロール紙２０を所定の長さに切出すカッタ部６と、次の発券に備えてロール紙２０を送り出す際にロール紙２０の先端が所定の発券待機位置まで送り出されたことを検知するセンサ２２と、カーブ部５からカッタ部６やセンサ２２を越えた位置までロール紙２０をストレートに搬送する直線搬送部４’と、カッタ２３によりロール紙２０から所定の長さに切出された後の媒体の印刷面に印刷を行う印刷部７と、切出された後の媒体の磁気面に対し磁気情報の書込みまたは読取りを行う磁気エンコード部８と、切出された後の媒体の排出および旅客が持参した乗車券等を装置に挿入する排出／挿入部９と、これらを繋ぎ、媒体を搬送する搬送路１０と、上述したロール紙繰出し搬送部３を起動させるための繰出しモータ２４と、を含んで構成されている。
【００１７】
さらに、発券装置１には、運用形態に合わせて、挿入された媒体にパンチ孔を穿孔するパンチ部１１と、控除済みの券等を回収・スタックする回収部１２と、定期券を収納し、１枚ずつ繰出する定期券繰出し部１３等の機能を備えている。これらの各部を備えていない発券装置も存在するが、以下では、これらの各部を備えているものとする。
【００１８】
また、発券装置１は、発券装置１の電源を集中管理している自身に対して発券等の指示を出す上位端末３０とＬＡＮケーブル３１で回線接続されている。発券装置１に対する電力の供給は、この上位端末３０により集中管理されている。
【００１９】
図２は、図１に示した発券装置１および上位端末３０の機能的な構成を示すブロック図である。まず、発券装置１について説明する。
図２に示すように、発券装置１は、検知部１０１と、搬送部１０２と、電源部１０３と、通信部１０４と、主制御部１０００と、を含んで構成されている。また、主制御部１００は、例えば、ＣＰＵ（Central  Processing  Unit）等のプロセッサであり、発券装置１の各部の動作を制御する。主制御部１００は、発券制御部１００１と、電源制御部１００２と、を含んで構成されている。
【００２０】
検知部１０１は、図２に示したセンサ２１およびセンサ２２である。搬送部１０２は、ロール紙繰出し搬送部３、直線搬送部４、直線搬送部４’あるいはカーブ部５等の搬送部である。また、電源部１０３は、発券装置１全体、あるいは上述した各部に電力を供給するための給電回路である。なお、以下では、直線搬送部４のことを第１の搬送部と呼び、直線搬送部４’のことを第２の搬送部と呼ぶこともある。
【００２１】
通信部１０４は、上位端末３０との間の通信を媒介するものである、例えば、ＮＩＣ（Network  Interface  Card）である。通信部１０４は、ＬＡＮケーブル３１を介して、上位端末３０から発券指示を受信する。また、通信部１０４は、上位端末３０が起動した場合には、その起動信号を受信し、上位端末３０が停止した場合には、その停止信号を受信する。さらに、上位端末３０が省エネモードへの移行指示を受け付けた場合に、通信部１０４は、移行信号を受信する。
【００２２】
発券制御部１００１は、上述した搬送部１０２の搬送開始動作や搬送停止動作を制御するものである。発券制御部１００１は、発券装置１が起動され、主制御部１００が、上位端末３０とのＬＡＮ回線の接続や、発券装置１のイニシャライズ等を行った場合に、搬送部１００１や、搬送部１００１を動作させるための各種のモータの駆動や停止を行って、ロール紙を搬送し、カッタ部６や印刷部７等の動作を制御して、切出された後の媒体に上位端末３０から送信された情報を印刷し、印刷後の媒体を排出／挿入部９から排出させる。
【００２３】
電源制御部１００２は、上述した電源部１０３の電源オン動作や電源オフ動作を制御するものである。電源制御部１００２は、通信部１０４が、上位端末３０から起動信号を受信した場合に、電源部１０３を電源オン状態にして発券装置１を起動させる。また、電源制御部１００２は、通信部１０４が、上位端末３０から停止信号を受信した場合に、電源部１０３を電源オフ状態にして発券装置１を停止させる。さらに、電源制御部１００２は、通信部１０４が、上位端末３０から移行信号を受信した場合に、発券装置１を省エネモードに移行させる。続いて、上位装置３０について説明する。
【００２４】
図２に示すように、上位装置３０は、入力受付部３０１と、装置制御部３０２と、通信部３０３と、を含んで、を含んで構成されている。
【００２５】
入力受付部３０１は、例えば、キーボードやマウス、あるいはタッチパネルであり、発券装置１に対する発券指示や起動指示、停止指示、あるいは省エネモードへの移行指示、さらには発券のための種々の情報（例えば、乗車券であれば、駅名や区間、有効期間等の情報）の入力を受け付ける。装置制御部３０２は、例えば、ＣＰＵ（Central  Processing  Unit）等のプロセッサであり、入力受付部３０１や通信部３０３など上位端末３０全体の動作を制御する。また、通信部３０３は、例えば、ＮＩＣ（Network  Interface  Card）であり、入力受付部３０１が受け付けた上述した各種の指示や、切出された後の媒体に印刷するための上述した種々の情報を発券装置１に送信する。
【００２６】
続いて、上述した発券装置１で行われる処理の処理手順を１日の発券業務の流れに沿って説明する。
【００２７】
図３は、発券装置１の利用者が業務を開始する際の起動処理の処理手順を示すフローチャートである。図３に示すように、上位端末３０の電源がオン状態となって起動した場合（ステップＳ１０１）、その起動信号を受信して発券装置１の電源もオン状態となって起動する（ステップＳ１０２）。
【００２８】
そして、上位端末３０と発券装置１のＬＡＮ回線が接続され（ステップＳ１０３）、ＬＡＮ回線が接続された発券装置１は、直ちにイニシャライズを行う（ステップＳ１０４）。発券装置１がイニシャライズされた後、発券制御部１００１は、繰出しモータ２４と下搬送路駆動モータ２５を駆動させ（ステップＳ１０５）、装填されたロール紙２０を繰出し搬送部３から直線搬送部４、カーブ部５、直線搬送部４’を通してカッタ部６まで搬送し（ステップＳ１０６）、センサ２２がロール紙２０の先端を検知したことを契機に（ステップＳ１０７）、モータ２４とモータ２５を停止させ（ステップＳ１０８）、ロール紙２０の搬送を終了させ（ステップＳ１０９）、通信部１０４が上位端末３０からの発券指示を受信するまで、その位置（以下、発券待機位置と呼ぶ。）で待機させる（ステップＳ１１０）。
【００２９】
図４は、ロール紙２０が発券待機位置で待機する様子を示す図である。図４に示すように、ロール紙２０の先端がセンサ２２を通過すると、ロール紙２０自体が発券待機位置（Ａ）で停止している。なお、このときのロール紙先端の停止位置は、発券する券の長さ分をカッタ２３から搬送させた位置とする。この位置は、あらかじめ不図示のメモリ等の記憶媒体に記憶されているものとする。このステップＳ１１０が終了すると、発券装置１の起動処理が終了する。
【００３０】
次に、発券処理を行う際の処理手順について説明する。図５は、発券装置１が行う発券処理の処理手順を示すフローチャートである。図５に示すように、上位端末３０からの発券指示を通信部１０４が受信すると（ステップＳ２０１）、発券制御部１００１は、発券待機位置で待機させていたロール紙２０をカッタ２３で切断させ（ステップＳ２０２）、搬送モータ２６を駆動し（ステップＳ２０３）、切断された後の媒体を印刷部７へ搬送し（ステップＳ２０４）、上位端末３０から送られる情報を印刷した後（ステップＳ２０５）、磁気エンコード部８へ搬送し（ステップＳ２０６）、磁気情報を記録する（ステップＳ２０７）。発券制御部１００１は、情報が書き込まれた媒体を排出／挿入部９へ搬送して（ステップＳ２０８）、乗車券等として発行し（ステップＳ２０９）、その後、搬送モータ２６を停止して（ステップＳ２１０）発券処理を終了する。
【００３１】
また、ロール紙２０を切断後、切断された後の媒体への印字処理等と並行して、発券制御部１００１は、次の発券に備えるためにモータ２４とモータ２５を駆動させ（ステップＳ２１１）、ロール紙２０を送り出し（ステップＳ２１２）、図３に示したステップＳ１０７の場合と同様に、センサ２２がロール紙２０の先端を検知したことを契機に（ステップＳ２１３）、モータ２４とモータ２５を停止し（ステップＳ２１３）、ロール紙２０の送り出しを終了し（ステップＳ２１５）、次の券の発券指示が出るまで図４の（Ａ）で示す発券待機位置で待機させる。
【００３２】
続いて、営業時間中に発券業務が一定時間行われなかった場合の移行処理について説明する。図６は、営業時間中に発券業務が一定時間行われなかった場合の移行処理の処理手順を示すフローチャートである。図６に示すように、発券装置１は、発券処理が完了してから上位端末３０が次の券の発券取引を開始するまでの時間（発券指示を送信するまでの時間）を、上位端末に設置した不図示のタイマで計測し、発券取引が行われないまま一定時間経過すると（ステップＳ３０１）、上位端末３０は、発券装置１へ省電力モードへの移行指示を、通信部３０３を介して送信する（ステップＳ３０２）。
【００３３】
通信部１０４を介して移行指示を受信した発券装置１は、発券制御部１００１がモータ２４とモータ２５を逆回転で駆動させて（ステップＳ３０３）、発券待機位置で待機しているロール紙２０を巻戻す（ステップＳ３０４）。そして、センサ２１が巻戻されたロール紙２０の先端を検知したことを契機として（ステップＳ３０５）、発券制御部１００１は、モータ２４とモータ２５を停止させ（ステップＳ３０６）、ロール紙２０の巻戻しを終了する（ステップＳ３０７）。このとき、ロール紙２０の先端の停止位置は図４の（Ｂ）で示すように、直線搬送部４内のセンサ２２から一定距離だけ供給側に戻された位置となる。この位置については、発券処理の場合と同様に、不図示のメモリ等の記憶媒体にあらかじめ記憶されているものとする。ロール紙２０の巻戻しを完了した発券装置１は、待機電力の消費を軽減するために、上位端末３０からの移行指示にしたがって、電源制御部１００２が、上位端末３０とのＬＡＮ回線接続を維持した状態で電源を落とし、省電力モードへと移行する（ステップＳ３０８）。
【００３４】
次に、発券装置１を省電力モードから復旧させ、発券業務を再開する場合の処理について説明する。図７は、発券装置１を省電力モードから復旧させ、発券業務を再開する場合の復旧処理の処理手順を示すフローチャートである。図７に示すように、上位端末３０から発券指示を受信して発券取引操作を再開すると（ステップＳ４０１）、発券装置１は、通信部１０４を介して上位端末３０から発券装置１を電源オン状態にするための起動信号を受信する（ステップＳ４０２）。
【００３５】
電源オン状態となった発券装置１は、発券起動時と同様に、イニシャライズを行い、発券制御部１００１が、モータ２４とモータ２５を駆動させて（ステップＳ４０３）、ロール紙２０を送り出し（ステップＳ４０４）、センサ２２がロール紙２０の先端を検知したことを契機に（ステップＳ４０６）、モータ２４とモータ２５を停止させ（ステップＳ４０７）、ロール紙２０を図４の（Ａ）の発券停止位置で停止させてロール紙２０の搬送を終了する（ステップＳ４０８）。上位端末３０が発見のための種々の情報の入力を受け付けた後（ステップＳ４０９）、通信部１０４を介してこれらの情報および発券指示を受信し（ステップＳ４１０）、発券装置１は発券処理を行う（ステップＳ４１１）。
【００３６】
最後に、１日の発券業務を終了し、装置の電源を落とす際の処理について説明する。図８は、１日の発券業務を終了し、装置の電源を落とす際の停止処理の処理手順を示すフローチャートである。図８に示すように、業務終了後（ステップＳ５０１）、上位端末３０のシャットダウンを開始すると（ステップＳ５０２）、上位端末３０は発券装置１とのＬＡＮ接続を切断し（ステップＳ５０３）、その後、数秒間シャットダウン処理を行い（ステップＳ５０４）、シャットダウン処理完了後（ステップＳ５０５）に電源を落とす（ステップＳ５０６）。
【００３７】
また発券装置１はＬＡＮ接続切断後、上位端末３０のシャットダウン処理（ステップＳ５０４）と並行して、上位端末３０から通信部１０４を介して停止信号を受信すると、イニシャライズを実行し（ステップＳ５０７）、その後、省電力モードへの移行の場合と同様に、発券制御部１００１が、モータ２４とモータ２５を逆回転で駆動させ（ステップＳ５０８）、発券停止位置で待機しているロール紙２０を巻戻し（ステップＳ５０９）、センサ２１が巻戻されたロール紙２０の先端を検知したことを契機として（ステップＳ５１０）、モータ２４とモータ２５を停止させ（ステップＳ５１１）、ロール紙２０の先端が図２の（Ｂ）の位置まで退避した状態で停止させ（ステップＳ５１２）、その後、電源制御部１００２が電源部１０３を制御して発券装置１の電源をオフ状態にする（ステップＳ５１３）。
【００３８】
なお、上述したステップＳ５０４において、発券装置１は、停止信号とともに、または停止信号に代えて、上位端末３０から通信を切断する旨の切断信号を、通信部１０４を介して受信した場合に、ステップＳ５０７移行の処理を行うこととしてもよい。
【００３９】
本実施例では、発券装置１が行う処理として、ロール紙２０を切断した後に印刷等の処理を行う方式について説明しているが、ロール紙２０に印刷等の処理を行った後に券のサイズに切断して発券する方式についても、カッタと印刷部等の配置を入れ替え、発券待機位置を印刷等の処理を行う位置とすることによって本発明を適用することができる。
【００４０】
このように、ロール紙２０に所定の情報を印字して発券処理を行う発券装置１において、ロール紙収納部２がロール紙２０を収納し、カーブ部５がロール紙２０の搬送方向を変更し、第１の搬送部がロール紙収納部２からカーブ部５までロール紙２０をストレートに搬送し、第２の搬送部がカーブ部５から先にロール紙２０をストレートに搬送し、検知部がロール紙２０の先端を検知し、発券制御部１００１が発券処理が所定の時間行われない場合に、第２の搬送部まで搬送されたロール紙２０を巻き戻して、ロール紙２０の先端を第２の搬送部から第１の搬送部の位置（カーブ部５よりもロール紙収納部２側の手前の位置）にまで後退させるので、特別な機構を必要とせずに、媒体にカール癖が付くことを防止することができる発券装置を提供することができる。例えば、径の小さいカーブやループ状の搬送路を持つ発券機に対し特別な機構を必要とせずに、発券待機時のカール癖を防ぐことができる。
【００４１】
また、発券装置１は、上位端末３０が電源オフ状態となった場合に合わせて発券装置１の電源もオフ状態となるように、電源が上位端末３０により集中コントロールされ、ＬＡＮ回線３１を介して上位端末３０と発券装置１との回線接続が切断されたときに、自動でロール紙２０の巻戻しを行うように制御している。従って、利用者が発券業務を終了し、上位端末３０の電源を落とす際に、回線接続が切断されると同時にロール紙を退避させることができるため、業務休止中に媒体にカール癖が付くことを防ぐことができる。また、その際、ロール紙２０の巻戻し処理を上位端末３０のシャットダウン処理と並行して行うことで、処理時間を増やすことなくロール紙のカール癖対策を講じることができる。
【００４２】
本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【符号の説明】
【００４３】
１…発券装置、２…ロール紙収納部、３…繰出し搬送部、４…直線搬送部、５…カーブ部、６…カッタ部、７…印刷部、８…磁気エンコード部、９…排出／挿入部、１０…搬送路、１１…パンチ部、１２…回収部、１３…定期券繰出し部、２０…ロール紙、２１…センサ、２２…センサ、２３…カッタ、２４…ロール紙搬送モータ、２５…下搬送路駆動モータ、２６…券搬送モータ、３０…上位端末、３１…ＬＡＮケーブル、１０００…主制御部、１００１…発券制御部、１００２…電源制御部、１０１…検知部、１０２…搬送部、１０３…電源部、１０４…通信部（発券装置）、３０１…入力受付部、３０２…装置制御部、３０３…通信部（上位端末）。
【図１】
2011104780.tif 000003
【図２】
2011104780.tif 000004
【図３】
2011104780.tif 000005
【図４】
2011104780.tif 000006
【図５】
2011104780.tif 000007
【図６】
2011104780.tif 000008
【図７】
2011104780.tif 000009
【図８】
2011104780.tif 000010